(57)【要約】【課題】機器を動作させる際の設定データの書き換え（記憶）漏れを防止することが出来る制御装置を提供する。【解決手段】操作部３での操作により、テレビ受像機２０の設定が変更された場合、変更後の設定データ（第１データ）を一時記憶部４（第１記憶部）に記憶し、電源部２が、ＯＮ状態からＯＦＦ状態に移行した後、ＯＮ状態に復帰した際に、一時記憶部４に記憶されている設定データと、記憶部５（第２記憶部）に記憶されている設定データ（第２データ）とに差異があるか否かを制御部１により検証し、検証の結果、差異がある場合は、一時記憶部４に記憶されている第１データにより、記憶部５に記憶されている第２データを書き換え、当該書き換え後に、記憶部５に記憶されている第２データに基づいて、テレビ受像機２０を動作させる。【選択図】図１
2010098651.tif 000002
【特許請求の範囲】
【請求項１】
機器の各部を統括して制御する制御部と、
前記機器を操作するための操作部と、
前記機器の各部に電力を供給する電源部と、
前記機器の設定データの一部である第１データを記憶する第１記憶部と、
前記機器の設定データである第２データを記憶する第２記憶部と、
を備えた制御装置において、
前記操作部における操作により前記機器の設定データが変更された場合に、当該変更に係る設定データを第１データとして前記第１記憶部に記憶し、
前記電源部の状態が、ＯＮ状態からＯＦＦ状態に移行した後、ＯＮ状態に復帰した場合に、前記第２記憶部に記憶されている第２データの内、前記第１データに対応するデータを、前記第１記憶部に記憶されている前記第１データにより書き換え、
前記第１データにより書き換えられた前記第２データに基づいて、前記機器を動作させることを特徴とする制御装置。
【請求項２】
請求項１に記載の制御装置において、
前記第２データを書き換える前に、前記制御部により、前記第１データと前記第２データとに差異があるか否かを検証し、当該検証の結果、差異がある場合にのみ、前記第２のデータを前記第１のデータにより書き換えることを特徴とする制御装置。
【請求項３】
請求項１に記載の制御装置において、
前記第１記憶部および第２記憶部は、不揮発性の記憶媒体、または、前記電源部とは異なる電源部から常時電力が供給される揮発性の記憶媒体から構成され、前記第１記憶部は、前記第２記憶部よりも書き換えに対する寿命が長く、かつ、前記第２記憶部よりも記憶容量が小さいことを特徴とする制御装置。
【発明の詳細な説明】
【技術分野】
【０００１】
本発明は、機器の設定データを記憶し、当該設定データに基づいて機器の動作を制御する制御装置に関する。
【背景技術】
【０００２】
従来においては、例えば、後掲の特許文献１に記載されているテレビ受像機のように、機器の電源がＯＮ状態からＯＦＦ状態に移行した場合に、当該ＯＦＦ状態がスタンバイ状態であるか否かを判定するとともに当該判定結果を機器に備えられている記憶部に記憶し、機器の電源がＯＦＦ状態からＯＮ状態に復帰することにより、記憶部に記憶されている判定結果を読み出し、当該判定結果がスタンバイ状態である場合は、テレビ受像機の画質を自然な画質に設定し、スタンバイ状態でない場合は、テレビ受像機の画質を自然な画質より明るい画質に設定する機器がある。
【０００３】
また、例えば、後掲の特許文献２に記載されている受信装置のように、機器の電源がＯＮ状態にある間に、当該機器の一部および／または別途に設けられた操作部における操作等により変更された設定内容を、当該機器に備えられている記憶部に記憶し、機器の電源がＯＮ状態からＯＦＦ状態へと移行し、更にＯＮ状態へと復帰した場合に、記憶部に記憶されている設定内容を読み込んで、前回のＯＮ状態時と同じ設定内容で機器を動作させる装置がある。
【０００４】
さらに、例えば、後掲の特許文献３に記載されているディスク装置内蔵型テレビジョン受信装置のように、機器内部に取り付けられている内部装置で変更された設定内容を、当該内部装置に設けられた記憶部に記憶せずに、機器本体部に設けられた記憶部に記憶させる装置がある。
【０００５】
【特許文献１】特開２００３−６９９１７号公報
【特許文献２】特開２００４−３８５８７号公報
【特許文献３】特開２００７−１３４８５７号公報
【発明の開示】
【発明が解決しようとする課題】
【０００６】
特許文献１に記載のテレビ受像機では、記憶部に記憶されている判定結果がスタンバイ状態である場合は、テレビ受像機の画質を自然な画質に設定し、スタンバイ状態でない場合は、テレビ受像機の画質を自然な画質より明るい画質に設定するだけであるため、その他の設定、例えば、電源ＯＦＦ状態へ移行する前のチャンネルや音量等の設定を行うことは出来ない。
【０００７】
特許文献２に記載の受信装置では、当該受信装置の電源がＯＮ状態からＯＦＦ状態に移行する場合や、当該受信装置において受信されている情報が切り替わった場合に、一時記憶手段であるＨＤＤ（Hard Disk Drive）やＳＲＡＭ（Static  Random Access Memory）等から、永続記憶手段であるＥＥＰＲＯＭ（Electronically Erasable  and Programmable Read Only Memory）やフラッシュＲＯＭに対して、更新情報等の書き換え（記憶）を行うため、書き換え（記憶）時において、当該受信装置への電力供給が中断（瞬断）した場合に、永続記憶手段への情報の書き換え（記憶）が不十分となる。このため、電源がＯＮ状態に復帰した場合に、永続記憶手段から適切な情報を読み込むことが出来ず、受信装置を最適な状態に設定することが出来ない。
【０００８】
特許文献３に記載のディスク装置内蔵型テレビジョン受信装置では、リモートコントロール装置（以下、「リモコン」と記載）からディスクの再生を停止する指示が送信される度に、当該ディスクの再生位置情報を、受信装置内部に設けられた異なる２つの記憶媒体の内、ＥＥＰＲＯＭに記憶し、また、リモコン装置からディスク装置の電源をＯＦＦにする指示が送信された場合に、当該ディスクの再生位置情報を、受信装置内部に設けられた異なる２つの記憶媒体の内、ＥＥＰＲＯＭにのみ接続可能な場合は、当該ＥＥＰＲＯＭに記憶し、両方の記憶媒体に接続可能な場合は、カードメモリに記憶する。このため、上記手段を、例えば、テレビジョン受信装置本体に対する他の指示（例えば、音量変更等）が送信された場合について用いると、電源がＯＦＦからＯＮに復帰した場合に、当該テレビジョン受信装置本体を動作させるための設定情報を両方の記憶媒体から取得しなければならない場合がある。また、いずれか一方の記憶媒体のみから取得する場合においても、取得出来る設定情報は、例えば、リモコン等の操作部において操作され、変更された設定情報のみであり、他の設定情報は、記憶媒体の容量等に因り、当該記憶媒体から取得出来ない場合がある。
このため、電源がＯＮに復帰した際に、記憶媒体に記憶された設定情報を的確に反映させて、テレビジョン受信装置本体を動作させることが困難な事例が生じうる。
【０００９】
本発明は、上述した問題点に鑑み、機器を動作させる際の設定データの書き換え（記憶）漏れを防止することが出来る制御装置を提供することを目的としている。
【課題を解決するための手段】
【００１０】
本発明に係る制御装置は、機器の各部を統括して制御する制御部と、機器を操作するための操作部と、機器の各部に電力を供給する電源部と、機器の設定データの一部である第１データを記憶する第１記憶部と、機器の設定データである第２データを記憶する第２記憶部とを備えており、操作部における操作により機器の設定データが変更された場合に、当該変更に係る設定データを第１データとして第１記憶部に記憶し、電源部の状態が、ＯＮ状態からＯＦＦ状態に移行した後、ＯＮ状態に復帰した場合に、第２記憶部に記憶されている第２データの内、第１データに対応するデータを、第１記憶部に記憶されている第１データにより書き換え、第１データにより書き換えられた第２データに基づいて、機器を動作させる。
【００１１】
このように、電源がＯＮ状態に復帰した際にデータの書き換えを行うことで、第２記憶部に記憶されている第２データの一部を、第１記憶部に記憶されている第１データにより書き換えている最中に電源からの電力供給が瞬断することに因る、データの書き換え漏れを防止することが出来る。
【００１２】
本発明の制御装置において、第２データを書き換える前に、制御部により、第１データと第２データとに差異があるか否かを検証し、当該検証の結果、差異がある場合にのみ、第２のデータを第１のデータにより書き換えてもよい。
【００１３】
このようにすることで、同一データの無駄な書き換えが行われることを防止することが出来るため、データの書き換えを行う回数を軽減することが出来る。
【００１４】
本発明の制御装置において、第１記憶部および第２記憶部を、不揮発性の記憶媒体、または、電源部とは異なる電源部から常時電力が供給される揮発性の記憶媒体から構成してもよく、また、第１記憶部を、第２記憶部よりも書き換えに対する寿命が長く、かつ、第２記憶部よりも記憶容量が小さい記憶媒体としてもよい。
【００１５】
このようにすることで、電源がＯＦＦ状態である場合においても、記憶されたデータを消失することがなく、また、書き換えが頻繁に行われる第１記憶部に当該書き換えに対する寿命が長い記憶媒体を用いることで、書き換えが頻繁に行われない第２記憶部に当該書き換えに対する寿命が短い記憶媒体を用いても、書き換えによる第２記憶部の消耗を抑制することが出来る。さらに、第１記憶部に記憶される設定データは変更に係るデータのみなので、記憶容量の小さい記憶媒体を用いることができ、コストの低減を図ることができる。
【発明の効果】
【００１６】
本発明によれば、電源部の状態が、ＯＮ状態からＯＦＦ状態に移行した後、ＯＮ状態に復帰した場合に、第２記憶部に記憶されている第２データを、第１記憶部に記憶されている第１データにより書き換えるため、電源からの電力供給が瞬断することに因る設定データの書き換え（記憶）漏れを防止することが出来る。
【発明を実施するための最良の形態】
【００１７】
以下、本発明の実施形態につき、図面を参照しながら説明する。
【００１８】
図１は、本発明の実施形態である制御装置１０および当該制御装置を搭載したテレビ受像機２０の機能ブロックを示す図である。
【００１９】
図中の制御装置１０において、制御部１は、例えば、ＣＰＵ（Central Processing Unit）から成り、制御装置１０の各部を含むテレビ受像機２０の各部を統括して制御する。電源部２は、例えば、ＡＣ（Alternating Current）電源回路等から成り、制御装置１０の各部を含むテレビ受像機２０の各部に電力を供給する。
【００２０】
操作部３は、テレビ受像機２０のフロントパネル（図示省略）やリモートコントロール装置（図示省略）等に配されたボタン部（図示省略）、当該リモートコントロール装置において入力された操作データを受信する受信部（図示省略）等から成り、テレビ受像機２０における各種操作を行う。
【００２１】
一時記憶部４は、例えば、ＥＥＰＲＯＭ（Electronically  Erasable and Programmable Read Only Memory）から成り、電源部２がＯＮ状態の時に変更されたテレビ受像機２０の設定情報を設定データとして一時的に記憶する。ここで、一時記憶部４は、本発明における第１記憶部の一実施形態であり、当該一時記憶部４に記憶される変更に係る設定データは、本発明における第１データの一実施形態である。
【００２２】
記憶部５は、例えば、フラッシュＲＯＭから成り、テレビ２０の動作を制御するための各種設定データが予め記憶されている。ここで、記憶部５は、本発明における第２記憶部の一実施形態であり、当該記憶部５に記憶される設定データは、本発明における第２データの一実施形態である。
【００２３】
図中のテレビ受像機２０において、チューナ２１は、アンテナ３１を介して放送信号（テレビジョン信号）を選局／受信する。第１信号処理部２２は、制御部１の制御の下、チューナ２１で受信した放送信号（テレビジョン信号）を映像信号や音声信号等に復調する。
【００２４】
第２信号処理部２３は、制御部１の制御の下、テレビ受像機２０と接続された外部機器３２（例えば、ＤＶＤ（Digital Versatile Disc）レコーダ等）から出力される出力信号を入力し、映像信号や音声信号等に復調する。
【００２５】
表示部２４は、例えば、ＬＣＤ（Liquid  Crystal Display）等のモニタから成り、第１信号処理部２２，第２信号処理部２３で所定の処理が行われた映像信号を入力し、当該映像信号に基づく映像を表示させる。音声出力部２５は、例えば、スピーカから成り、第１信号処理部２２，第２信号処理部２３で所定の処理が行われた音声信号を入力し、当該音声信号に基づく音声を出力する。
【００２６】
次に、本発明の実施形態である制御装置１０（図１）の制御処理手順について、図２に示すフローチャートを用いて説明する。尚、制御装置１０に設けられた制御部１（図１）が関わる制御処理の内、例えば、第１信号処理部２２（図１），第２信号処理部２３（図１）での信号処理等は、本発明に関係のない制御処理のため、以下において、説明を省略する。
【００２７】
図２のフローチャートにおいて、ステップＳ１では、操作部３（図１）が操作された場合（ステップＳ１：ＹＥＳ）は、ステップＳ２へ進み、操作部３が操作されない場合（ステップＳ１：ＮＯ）は、ステップＳ１の直前、つまり、本フローチャートの開始直後に戻る。
【００２８】
例えば、テレビ受像機２０（図１）のフロントパネル（図示省略）に配されたボタン部（図示省略）や、リモートコントロール装置（図示省略）に配されたボタン部（図示省略）において、「チャンネル」や「音量」等を変更するための操作が行われた場合、制御部１により、操作部３での操作有が検知される。
【００２９】
ステップＳ２では、ステップＳ１において操作部３が操作された場合に、当該操作によりテレビ受像機２０の設定が変更されたか否かが検証され、検証の結果、設定が変更された場合（ステップＳ２：ＹＥＳ）は、ステップＳ３へ進み、設定が変更されていない場合（ステップＳ２：ＮＯ）は、ステップＳ１の直前、つまり、本フローチャートの開始直後に戻る。
【００３０】
例えば、テレビ受像機２０のフロントパネルに配されたボタン部や、リモートコントロール装置に配されたボタン部が操作され、当該操作により、操作前とは異なる「チャンネル」や「音量」等に変更された場合は、テレビ受像機２０の設定が変更される。
【００３１】
しかしながら、例えば、「初期設定のメニュー表示」や「視聴している番組のチャンネル表示」等のＯＳＤ（On Screen Display）表示等を行うために操作部３が操作された場合は、テレビ受像機２０の設定は変更されない。
【００３２】
ステップＳ３では、ステップＳ２での検証結果に基づき、操作部３での操作により変更されたテレビ受像機２０の設定データ（第１データ）を一時記憶部４（第１記憶部）に記憶する。尚、一時記憶部４において、今回記憶される設定データよりも前に記憶された設定データがある場合は、今回の設定データにより、前回の設定データを書き換える。
【００３３】
例えば、「チャンネル」が「３ｃｈ」から「１ｃｈ」に変更された場合や、「音量」が「１０」から「３０」に変更された場合は、変更後の設定データ（第１データ）である「１ｃｈ」や「３０」が、一時記憶部４に記憶される。
【００３４】
ステップＳ４では、電源部２（図１）が、ＯＮ状態からＯＦＦ状態に移行した場合（ステップＳ４：ＹＥＳ）は、ステップＳ５へ進み、ＯＮ状態からＯＦＦ状態に移行しない場合（ステップＳ４：ＮＯ）、つまり、ＯＮ状態が継続している場合は、ステップＳ１の直前、つまり、本フローチャートの開始直後に戻る。
【００３５】
例えば、テレビ受像機２０のフロントパネルに配された主電源ボタン（図示省略）が押圧された場合、電源部２は、ＯＮ状態からＯＦＦ状態（主電源ＯＦＦ）に移行し、リモートコントロール装置に配された電源ボタン（図示省略）が押圧された場合、電源部２は、ＯＮ状態からＯＦＦ状態（主電源ＯＮ，待機状態）に移行する。
【００３６】
ステップＳ５では、電源部２が、ＯＦＦ状態からＯＮ状態に復帰する。
【００３７】
例えば、テレビ受像機２０のフロントパネルに配された主電源ボタンが押圧された場合、電源部２は、ＯＦＦ状態（主電源ＯＦＦ）からＯＮ状態に復帰し、リモートコントロール装置に配された電源ボタンが押圧された場合、電源部２は、ＯＦＦ状態（主電源ＯＮ，待機状態）からＯＮ状態に復帰する。
【００３８】
ステップＳ６では、制御部１の制御の下、一時記憶部４に記憶されている設定データ（第１データ）と記憶部５に記憶されている設定データ（第２データ）とに差異があるか否かが検証され、検証の結果、差異がある場合（ステップＳ６：ＹＥＳ）は、ステップＳ７へ進み、差異が無い場合（ステップＳ６：ＮＯ）は、ステップＳ８へ進む。
【００３９】
例えば、制御部1により、一時記憶部４に記憶されている第１データに含まれる「チャンネル情報」と、記憶部５に記憶されている第２データに含まれる「チャンネル情報」とが一致するか否かを検証し、また、一時記憶部４に記憶されている第１データに含まれる「音量情報」と記憶部５に記憶されている第２データに含まれる「音量情報」とが一致するか否かを検証する。
【００４０】
ステップＳ７では、ステップＳ６での検証結果に基づき、一時記憶部４に記憶されている第１データを記憶部５に記憶する。
【００４１】
例えば、制御部１による検証の結果、一時記憶部４に記憶されている第１データに含まれる「チャンネル情報」が「１ｃｈ」であり、記憶部５に記憶されている第２データに含まれる「チャンネル情報」が「３ｃｈ」である場合、当該記憶部５に記憶されている第２データを第１データにより書き換えて、「チャンネル情報」を「１ｃｈ」に更新し、また、一時記憶部４に記憶されている第１データに含まれる「音量情報」が「３０」であり、記憶部５に記憶されている第２データに含まれる「音量情報」が「１０」である場合、当該記憶部５に記憶されている第２データを第１データにより書き換えて、「音量情報」を「３０」に更新する。尚、一時記憶部４から記憶部５に対し、設定データ書き換えの為の通信を行う際は、例えば、通信周波数を制御部１の動作クロックから生成して、同期を図る。
【００４２】
ステップＳ８では、記憶部５に記憶されている書き換え後の設定データ（第２データ）に基づいて、テレビ受像機２０を動作させ、本フローチャートを終了する。
【００４３】
このように、本実施形態においては、操作部３での操作により、テレビ受像機２０の設定が変更された場合、変更後の設定データ（第１データ）を一時記憶部４に記憶し、電源部２が、ＯＮ状態からＯＦＦ状態に移行した後、ＯＮ状態に復帰した際に、一時記憶部４に記憶されている第１データと、記憶部５に記憶されている第２データとに差異があるか否かを制御部１により検証し、検証の結果、差異がある場合は、一時記憶部４に記憶されている第１データにより、記憶部５に記憶されている第２データを書き換え、当該書き換え後に、記憶部５に記憶されている第２データに基づいて、テレビ受像機２０を動作させる。
【００４４】
このようにすれば、電源部２がＯＮ状態に復帰した際に、一時記憶部４に記憶されている第１データにより、記憶部５に記憶されている第２データを書き換えるため、電源２からの電力供給が瞬断することに因る当該設定データの書き換え（記憶）漏れを防止することが出来る。また、一時記憶部４に記憶されている第１データと記憶部５に記憶されている第２データとに差異がある場合にのみ、第１データにより第２データを書き換えるため、同一データの無駄な書き換えが行われることを防止することができる。
【００４５】
また、チャンネルや音量等の変更の度に書き換えが頻繁に行われる一時記憶部４を、書き換えに対する寿命が長いＥＥＰＲＯＭで構成したため、書き換えが頻繁に行われない記憶部５を、書き換えに対する寿命がＥＥＰＲＯＭに比べて短いフラッシュＲＯＭを用いても、書き換えによる記憶部５の消耗を抑制することができる。さらに、一時記憶部４に記憶される設定データは変更に係るデータのみなので、フラッシュＲＯＭに比べて記憶容量の小さいＥＥＰＲＯＭを用いることができ、コストの低減を図ることができる。
【００４６】
本発明では、以上述べた以外にも種々の実施形態を採用することができる。例えば、上記実施形態では、制御装置１０をテレビ受像機２０に搭載したが、これに限られず、制御装置１０単独での実施も可能であり、また、テレビ受像機２０以外の装置（例えば、ＤＶＤレコーダ等）に搭載してもよい。
【００４７】
また、上記実施形態では、一時記憶部４をＥＥＰＲＯＭとし、記憶部５をフラッシュＲＯＭとしたが、これに限られず、一時記憶部４を、ＲＡＭ（Random Access Memory）と、当該ＲＡＭに接続されたバッテリと、当該バッテリに接続されたソーラーパネルから構成してもよく、記憶部５も同様の構成としてもよい。
つまり、一時記憶部４，記憶部５は、不揮発性の記憶媒体であってもよいし、電源部２とは異なる電源部から常時電力が供給される揮発性の記憶媒体であってもよい。
【００４８】
さらに、上記実施形態では、図２に示すフローチャートのステップＳ６において、制御部１の制御の下、一時記憶部４に記憶されている第１データと記憶部５に記憶されている第２データとに差異があるか否かを検証し、検証の結果、差異がある場合は、ステップＳ７において、一時記憶部４に記憶されている第１データにより記憶部５に記憶されている第２データを書き換えたが、これに限られず、ステップＳ６による検証を省略し、設定データの差異の有無に関わらず、ステップＳ７における書き換えを行ってもよい。
【図面の簡単な説明】
【００４９】
【図１】本発明の実施形態である制御装置および当該制御装置を搭載したテレビ受像機の機能ブロックを示した図である。
【図２】本実施形態である制御装置における制御処理手順を示したフローチャートである。
【符号の説明】
【００５０】
１    制御部
２    電源部
３    操作部
４    一時記憶部（第１記憶部）
５    記憶部（第２記憶部）
１０  制御装置
２０  テレビ受像機
【図１】
2010098651.tif 000003
【図２】
2010098651.tif 000004